(57)【要約】本発明は、拭取り条片支持体（２２）と拭取り条片（２４）とを有していて、かつリンク（３２，７４）を備えた案内装置によってワイパアーム（１０）に対して側方に案内されたワイパブレード（２０）であって、リンク（３２，７４）の一端がウインドシールド（２６）に対して垂直に旋回可能にワイパアーム（１０）のジョイント部分（１２）に固定されており、リンク（３２，７４）が側方の案内面でワイパブレード（２０）の一部に接している形式のものから出発している。リンク（３２，７４）の両方の端部に旋回支承体（８６，８８）が配置されており、その一方の旋回支承体がワイパアーム（１０）もしくはワイパブレード（２０）の縦方向の運動を許容している。
2005510401.tif 000002
【特許請求の範囲】
【請求項１】
ワイパブレード（２０）であって、該ワイパブレード（２０）が、拭取り条片支持体（２２）と拭取り条片（２４）とを備えていて、かつリンク（３２，７４）を備えた案内装置（２８）によってワイパアーム（１０）に対向して側方で案内可能であり、リンク（３２，７４）の１端部が、ウインドシールド（２６）に対してほぼ垂直方向で旋回可能にワイパアーム（１０）のジョイント部分（１２）に固定可能であり、リンク（３２，７４）が、側方の案内面でワイパブレード（２０）の一部に接している形式のものにおいて、
リンク（３２，７４）の両方の端部に旋回支承体（８６，８８）が配置されており、一方の旋回支承体が、ワイパアーム（１０）もしくはワイパブレード（２０）の縦方向の運動を許容するようになっていることを特徴とするワイパブレード。
【請求項２】
リンク（３２，７４）に固定的に結合された少なくとも１つのキャッチピン（４２）が、ワイパブレード（２０）側の旋回支承体（８８）を形成しており、該キャッチピン（４２）が、ワイパブレード（２０）に座着したクリップ（３０，７８）内で、ワイパブレード（２０）の縦方向に延びるキャッチ溝（４８）内に支承されている、請求項１記載のワイパブレード。
【請求項３】
クリップ（３０，７８）が、エンドキャップとして形成されている、請求項２記載のワイパブレード。
【請求項４】
ばね弾性的な係止フック（５０）が、ヒンジピン（１８）へ向かって開いたキャッチ溝（４８）内にキャッチピン（４２）を保持している、請求項２または３記載のワイパブレード。
【請求項５】
ワイパアーム（１０）の側の旋回支承体（８６）が、回転軸（３４）によって形成されており、該回転軸が、ジョイント部分（１２）の軸受孔または凹所内、またはジョイント部分に結合されたアダプタ（５２，６２）内に支承されていて、かつ側方の滑走面（３６）によって案内されている、請求項１から４までのいずれか１項記載のワイパブレード。
【請求項６】
ワイパアーム（１０）の側の旋回支承体（８６）が、ワイパアーム（１０）に固定的に結合された回転軸（３４）から形成されており、該回転軸にハブ部分（４０）が回転可能に支承されており、該ハブ部分が、リンク（３２，７４）に固定的に結合されていて、かつ側方の滑走面（３６）によって案内されている、請求項１から４までのいずれか１項記載のワイパブレード。
【請求項７】
アダプタ（６２）が、互いに向かい合って位置する２つのアダプタ片（５２）から成っており、これらのアダプタ片が、ジョイント部分（１２）の側壁の内面に固定されていて、かつウインドシールド（２６）へ向かって開いたそれぞれ１つのくさび溝（５８）を有しており、該くさび溝が、端部に配置された１つの支承孔（６０）を有しており、該支承孔内に回転軸（３４）がスナップ係合されるようになっている、請求項５または６記載のワイパブレード。
【請求項８】
アダプタ片（５２）が、ばねエレメント（６４）によって結合されていて、かつ外側にピン（６６）を備えており、該ピンが、ジョイント部分の対応する切欠もしくは凹所に係止されるようになっている、請求項７記載のワイパブレード。
【請求項９】
リンク（３２，７４）もしくはクリップ（３０，７８）に設けた案内面（４４，４６）が、旋回支承体（８６，８８）の間に配置されている、請求項１から８までのいずれか１項記載のワイパブレード。
【請求項１０】
平行に延びる２つのリンク（３２）が設けられており、これらのリンクが、互いに向かい合った側に案内面（４４）を有しており、これらの案内面が、クリップ（３０）の側方の案内面（４６）に接している、請求項２から９までのいずれか１項記載のワイパブレード。
【請求項１１】
クリップ（７８）に設けた１つの案内スリット（８０）内で案内された１つのリンク（３２）が設けられている、請求項２から９までのいずれか１項記載のワイパブレード。
【請求項１２】
リンク（３２，７４）が、結合片（３８）もしくは支持アングル部材（７６）を介して相互いに、またはハブ部分（４０）もしくは回転軸（３４）に支持されている、請求項２から１１までのいずれか１項記載のワイパブレード。
【請求項１３】
リンク（３２，７４）が、リング状横断面輪郭を有している、請求項１から１２までのいずれか１項記載のワイパブレード。
【請求項１４】
リンク（３２，７４）が、円形とは異なる横断面輪郭を有している、請求項１から１３までのいずれか１項記載のワイパブレード。
【請求項１５】
リンク（３２，７４）に設けた案内面（４４）またはクリップ（３０，７８）に設けた案内面（４６，８０）が、ばねエレメントを有しており、該ばねエレメントによって、一方の案内面が、それぞれ別の一方の案内面（４４，４６，８０）に接している、請求項１から１４までのいずれか１項記載のワイパブレード。
【請求項１６】
キャッチピン（６８）が、縦方向でラウニング加工されていて、かつクリップ（３０）の対応する案内溝（７０）内で延びている、請求項１から１５までのいずれか１項記載のワイパブレード。
【請求項１７】
キャッチピン（６８）が、リンク（３２）に設けた支承ピン（７２）に支承されている、請求項１６記載のワイパブレード。
【発明の詳細な説明】
【０００１】
背景技術
本発明は請求項１の上位概念によるワイパブレードから出発している。
【０００２】
公知のウインドウガラスワイパは、固定部分と、ワイパロッドを有していて該固定部分にヒンジ結合されたジョイント部分とから構成されている。ワイパロッドは特別な構成部品としてジョイント部分に固定的に結合されているか、または直にジョイント部分に一体成形されている。このワイパロッドに、拭取り条片支持体と拭取り条片とを有するワイパブレードがヒンジ結合されている。一般に、拭取り条片支持体は、中央ヨークと、場合により下位に配置されたヨーク、例えば中間ヨークおよび／または拭取り条片を保持した爪ヨークとを備えた支持ヨーク機構を有している。この種のウインドガラスワイパは例えばドイツ連邦共和国特許公開第３７４４２３７号明細書から公知である。
【０００３】
さらに、ドイツ連邦共和国特許公開第１９７３８２３２号明細書からは弾性的な高硬度のプラスチックから成るジョイントレスの支持エレメントが公知であり、該支持エレメントは拭取り条片を保持しており、かつ無負荷状態では湾曲を有しており、この湾曲は、ワイパブレードの稼働中に拭取り条片が完全に車両ウインドウガラスに接した際に均一な圧着力が生じるように設計されている。端面にはプロフイールの閉鎖体としてプラスチック製のキャップが組付けられている。さらに、ばね鋼製の支持エレメントを備えた類似したワイパブレードが公知である。以下に拭取り条片支持体および支持ヨーク機構ならびに支持エレメントという表現は上述の意味に理解される。
【０００４】
ワイパブレードは、それが細長い構成部品であり、かつワイパブレードの駆動側である内側領域と外側領域との間の大きな速度差にもとづき異なる摩擦状態が存在するため、かつ速度が比較的小さくかつ摩擦が大きい場合にはステックスリップ効果が生じるため励振される。このことにより、特に小さな摩擦速度が支配するワイパブレード内円部に不所望な側方の運動が発生し、この運動は所定の大きさの後にワイパブレードをワイパアームに衝突せしめて、がたつき騒音を招く。このことは車両ウインドウガラスが乾いており、汚れており、凍結しており、または十分に湿っていないかまたは車両ウインドウガラス上に着雪がある場合には特に顕著である。ワイパブレードはがたつきによって短期的に車両ウインドウガラスとの接触を失うと共に、その際湿りおよび汚れがワイパブレードからウインドシールド上へ跳ね飛ばされ、その結果拭取り像が不満足なものとなる。ワイパブレードがヨーク部分を多く有するほど、ワイパブレードはますますがたつく傾向にある。さらにわずかなばね強さを有する軽量のワイパブレードは他のワイパブレードより不利に挙動する。特に比較的長いワイパブレード、特に５５０ミリメートルを越える長さのものでは、ワイパブレードとワイパアームとの間のヒンジ結合箇所における案内が、この振動を排除するのに十分な安定性を有していない。
【０００５】
さらにドイツ連邦共和国特許公開第１９７３１６８３号明細書からは、ワイパブレードの案内のための装置が公知であり、該案内装置は第１および第２の部分を有している。この案内装置は、爪ヨークそれもワイパブレードの内円部の近くに位置する爪ヨークの枢着箇所の領域内に配置されていて、ワイパアームのジョイント部分に例えば接着、溶接、ろう接、スナップ結合、締付けなどによって固定的に結合されている。案内装置の第１の部分は案内壁を有しており、該案内壁は爪ヨークのヒンジ結合箇所をつかんでいて、これをワイパアームに関連して案内している。第２の部分も案内壁を有しており、これらの案内壁の間に第１の部分がテレスコープ状に案内されており、その結果第１の部分の案内壁が短くたもたれることができ、かつ車両ウインドウガラスの湾曲が強い場合でも車両ウインドウガラスとの抵触のおそれがない。第１の部分は有利には紛失不能に例えば可撓性のエレメントによって装置に結合されている。
【０００６】
第２の部分はばね舌片から成ることもでき、該ばね舌片は、第１の部分がウインドガラスワイパの運動方向では剛性的に案内されるが車両ウインドガラスに対する垂直方向ではワイパアームに対してたわむことができるように、第１の部分を案内装置に結合せしめている。さらにまた第２の部分としてばね舌片と案内壁との組合せを選択することも可能であり、その場合にはばね舌片が可撓性のエレメントの機能を受け持つ。さらに装置は若干の薄板部分から製作されることもできるが、しかし有利には装置は適当なプラスチックからのプラスチック射出品から成る。しかしながらいずれにせよワイパブレードの案内のために付加的な構成部品が必要であり、このことにより製作費および組立て費および付加的な材料コストが発生する。装置のこれらの案内面の間には、誤差を伴うワイパアームジオメトリ、例えばワイパロッドの屈曲加工部に、ワイパブレードとワイパアームとの間のジョイントが引っ掛かるのを妨ぐために空気隙間が必要である。この場合でも、なるほど拭取り過程時の側方向の振動は軽減されるが、しかし側方向の接触交番は回避されないため、がたつき騒音発生のおそれがある。ワイパブレードを装置の案内内へ挿入することは、ワイパブレードが揺動位置からウインドシールド上の休止位置へ戻し案内される場合には費用を要する。この場合誤機能もしくは故障が排除されない。
【０００７】
発明の利点
本発明によれば、リンクの両端に旋回支承体が配置されており、その一方の旋回支承体がワイパアームもしくはワイパブレードの縦方向の運動を許容する。リンクの端部に設けられた旋回支承体はワイパアームに対するワイパブレードの相対的な行程運動をコントロールし、その結果大きな行程運動にもかかわらず装置の部分がウインドシールドと接触するおそれは生じない。このことにより、この装置は特に、ワイパアームのプロフィー内に隠された状態で挿入されることのできる、偏平な構造で設計されたリンクアームに適している。ワイパブレード端部に設けた装置がウインドシールドの近で拭取り条片に係合しているため、案内の引っ掛かり傾向がわずかである。
【０００８】
一方の旋回支承体の運動をワイパアームもしくはワイパブレードの縦方向で許容するために、該旋回支承体は前述方向に縦方向案内を有しており、該縦方向案内は一般的にはワイパブレードを側方で案内するのには役立たず、むしろ行程運動のコントロールのためにのみ役立つ。さらに案内装置は、その部分がワイパアームの揺動位置で係合から外れ、かつ戻り位置で再び挿入される必要を排除する。ワイパブレードの側方の案内のために、リンクに設けられた案内面が役立ち、該案内面は、ワイパブレードに座着したクリップに設けた対応する案内面と協働する。クリップは有利にはエンドキャップとして形成され、かつプラスチックからの射出成形品から成る。クリップはワイパブレードの端部に差し込まれるか、または該端部と、ワイパブレードのワイパアームへの枢着点との間の領域内で、拭取り条片もしくはジョイントレスの拭取り条片支持体上に差し込まれる。コンパクトな構造を得るために案内面は両旋回支持体の間に配置される。
【０００９】
本発明の１実施例によれば、リンクに結合された少なくとも１つのキャッチピンがワイパブレードの側の旋回支承体を形成している。キャッチピンは、ワイパブレードのクリップ内で、ワイパブレードの縦方向に延びるキャッチ溝内に支承されている。キャッチピンはキャッチ溝内で十分に運動する余地を有しており、従ってワイパブレードの載着力は旋回支承体によって影響されない。キャッチピンは係止フックによってキャッチ溝内に保持され、該係止フックはキャッチ溝内へのキャッチピンの挿入時に弾性的にたわみ、次いでキャッチ溝の開放端を塞ぐ。
【００１０】
一方の旋回支承体だけが縦方向案内を有すればよいため、ワイパアームの側の旋回支承体は有利には回転軸として形成され、該回転軸がジョイント部分の支承孔または凹所内、またはこれに結合されたアダプタ内に支承され、かつ側方の滑走面によって案内される。回転軸もしくはアダプタは、一般にはジョイント部分もしくはワイパロッドの、ウインドシールドへ向かって開いたＵ形のプロフィールの内室内へ挿入される。その場合該プロフィールの側壁の弾性は旋回軸がジョイント部分の凹所内もしくは支承孔内に係止されるように旋回軸の弾性に適合されている。
【００１１】
回転軸はアダプタを介して間接的に、ジョイント部分内またはこれに一体成形されたワイパロッド内に支承されることができる。アダプタは主として２つのアダプタ片から成り、これらのアダプタ片は互いに向かい合って位置していてジョイント部分のＵ形のプロフィール内に隠されて固定されていて、かつ旋回軸のためのそれぞれ１つの支承孔を有しており、これらの支承孔はくさび溝を介してウインドシールドへ向かって開いており、従って旋回軸はくさび溝を通して支承孔内へ挿入係合されることができる。アダプタ片は構成および材料に応じてジョイント部分に接着、溶接またはろう接される。１実施形によれば、互いに向かい合って位置するアダプタ片がばねエレメントによって互いに結合されていて、かつそれらの外側にピンを備えており、該ピンがジョイント部分の対応する切欠もしくは凹所内に挿入係合される。これにより案内装置はワイパブレードの案内のために大きな費用なしに容易かつ確実に組付けられることができる。
【００１２】
案内装置は２つの平行に延びるリンクを有することができ、これらのリンクはその互いに向かい合った側に案内面を有しており、該案内面はクリップの側方の案内面に接している。クリップの側の旋回支承体を形成しているキャッチピンがリンクに結合されている。キャッチピンは中央で分割されていてもよく、またはリンクの支持のために一貫して形成されていてもよい。さらに案内装置は他方の旋回支承体の領域内で結合片によって補強されていてもよい。このことによって維持されるべき製作誤差にワイパブレードの側方の案内を調和させるべく拭取り方向でのリンクの側方向の可撓性を変化させることができる。
【００１３】
本発明の別の１実施形では、案内装置がワイパブレードの案内のためにリンクを１つしか有しておらず、該リンクは旋回支承体内に支承されていて、かつクリップの２つの側壁の間で縦方向に延びる案内スリット内で案内されている。このリンクはクリップに対して同軸的に配置されることができ、またはワイパアームに対するワイパブレードの側方向のずれを可能にするために縦中央平面に対して側方向にずらされて配置されることができる。この目的は多くの場合リンクの屈曲によっても得られ、または助成されることができる。
【００１４】
リンクの横断面は簡単な実施形ではリング状である。このことによりこのリンクはすべての方向に、曲げに対する同じ抵抗モーメントを有している。円形からずれた横断面によれば、抵抗モーメントは種々の方向で種々異なって形成され、かつ使用条件に適合される。このことのためには楕円形または多角形の横断面が適している。さらにこれらの横断面は有利な案内面を形成する。さらにこれらの横断面は案内面の領域内の平面部によって修正されることができる。
【００１５】
リンクに設けた案内面とクリップに設けた案内面との間の遊びは極めて小さく選択されることができる。その理由は、この遊びが旋回支承体の支承の遊びに無関係に選択されることができるからである。しかし騒音発生を回避すべく遊びのない案内を得るために、少なくとも一方の案内面がばねエレメントを有しており、該ばねエレメントによって一方の案内面が対応する案内面に接触させられている。
【００１６】
ワイパブレードの案内のための本発明による案内装置はウインドシールドへ向かう力およびモーメントをワイパブレードに作用せしめず、従ってこの案内装置は拭取り条片の載着力へ影響を及ぼさない。拭取り条片がその縦軸線を中心としても回転することができるように、キャッチピンが縦方向にクラウニング加工されていて、クリップの対応する案内溝内に延びていると有利である。その場合キャッチピンは有利な形式ではクラウニング加工されたローラとして形成されることができ、このローラが、リンクに設けた支承ピンに支承される。クラウニング加工されたキャッチピンと対応する案内溝との間の遊びは、リンクからの側方の案内力がクリップへ伝達されることができるように選択される。
【００１７】
その他の利点は以下の図面説明から明らかとなる。図面には本発明の複数の実施例が示されている。図面、実施例の説明および請求項は多数の特徴を組合せで有している。当業者はこれらの特徴を目的に応じて個々に観察して有意義な別の組合せにまとめ合わせることができる。
【００１８】
実施例の説明
ワイパアーム１０のうち、図１にはジョイント部分１２とワイパロッド１４とが図示されており、ワイパロッドのフック状の端部１６はワイパブレード２０のヒンジピン１８の周りに係合しており、これによりワイパブレード２０をワイパアーム１０にヒンジ結合せしめている。ワイパブレード２０は拭取り条片２４を備えた拭取り条片支持体２２を有している。拭取り条片２４はウインドシールド２６に接する。
【００１９】
ワイパブレード２０とワイパアーム１０のジョイント部分１２との間には、平行に配置された２つのリンク３２を備えていてワイパブレード２０を側方で案内するための案内装置２８（図２）が設けられている。リンク３２はそれらの端部で旋回支承体８６，８８内に旋回可能に支承されている。旋回支承体８６はワイパアーム１０の側に回転軸３４を有しており、該回転軸は側方の２つのピンから成っていてリンク３２に固定的に結合されることができる。回転軸３４は一部分から成っていて装置２８のハブ部分４０を通して延びていてもよい。回転軸はリンク３２とハブ部分４０とに固定的に結合されてワイパアーム１０内で旋回可能に支承されていてもよく、またはワイパアーム１０に固定的に結合されていてもよい。後者の場合、リンク３２はハブ部分４０によって回転軸３４上に回転可能に支承される。
【００２０】
回転軸３４は、ワイパアーム１０の、ウインドシールド２６へ向かって開いたＵ形状のプロフィール内に挿入されて、ワイパアーム１０またはこれに結合されたアダプタ６２のＵ形状のプロフィールの対応する凹所もしくは切欠内に係止される。ワイパアーム１０内での案内装置２８の側方の案内のために回転軸３４の領域内に側方の滑走面３６が設けられており、該滑走面はワイパアームの対応する図示されていない滑走面と協働する。リンク３２の縦方向でハブ部分４０に続いて結合片３８が設けられており、該結合片は大小様々な長さで形成されることができ、かつリンク３２を向かい合わせに支持せしめている。このことにより、案内装置の側方向の可撓性を変化させることができる。
【００２１】
リンク３２の他端部の旋回支承体８８はキャッチピン４２によって形成されており、該キャッチピンは両方のリンク３２を互いに結合せしめていてもよく、または中央で分離されていてもよい。キャッチピン４２はエンドキャップとして形成されたクリップ３０のキャッチ溝４８内に案内されている。エンドキャップ３０は拭取り条片２４もしくは拭取り条片支持体２２のワイパアーム側端部に差しはめられており、キャッチ溝４８は拭取り条片２４の縦方向に延びている。キャッチピン４２によってリンク３２はキャッチ溝内で旋回可能に支承されており、さらにキャッチピン４２はキャッチ溝４８の内部で拭取り条片２４の縦方向に自由に運動可能であり、その結果、回転軸３４を中心とするリンク３２の旋回運動時に長さ補償が行われる。ワイパアーム１０の傾動位置でキャッチピン４２が不慮にキャッチ溝内から滑り抜けることがないように、案内装置２８の組付け時に弾性的にたわみかつキャッチ溝４８の開放側を塞ぐ係止フック５０が設けられており、これにより、キャッチピン４２はキャッチ溝４８内に係止される。それゆえ、当業者により行われた最初の組付け後の誤操作および誤機能が排除される。
【００２２】
組付けを簡単にするために、簡単な構成（図３）では２つのアダプタ片５２から成るアダプタ６２内へ回転軸３４を支承すると有利である。これらのアダプタ片はくさび溝５８を介してウインドシールドへ向かって開いた、またはワイパアーム１０の縦方向に開いた支承孔６０を有していて、かつワイパアーム１０のＵ形状のプロフィールの内側の側壁に取付けられている。回転軸３４は、アダプタ片５２のくさび溝５８の両側に位置する脚部５４，５６が弾性的にたわむことによって、くさび溝５８を通して支承孔６０内へ挿入されて係止される。
【００２３】
図４によるアダプタ６２の実施形では、ワイパアーム１０のＵ形状のプロフィールの側壁に対して直角に作用するばねエレメント６４によってアダプタ片５２が互いに結合されている。アダプタ片５２の外側にはピン６６が設けられており、該ピンは組付け時にばねエレメント６４がたわむことによりワイパアーム１０の対応する切欠内もしくは凹所内に挿入されて係止される。
【００２４】
ワイパブレード２０のその縦軸線を中心とする比較的大きな旋回運動を許容するために、キャッチピン６８をその回転軸線方向でクラウニング加工して、対応する案内溝７０内に支承するのが有利である。このことにより、エンドキャップ、ひいてはワイパブレード２０がその縦軸線を中心として旋回することができる。キャッチピン６８はリンク３２に設けた支承ピン７２に支承されたクラウニング加工されたローラとして形成されることもできる（図５）。
【００２５】
図６による変化実施形はハブ部分４０に支持アングル材７６によって取付けられたただ１つのリンク７４を備えた装置を示す。リンク７４はその他方の端部で、エンドキャップ７８として形成されたクリップの２つの側壁８２の間の案内スリット８０内で案内されている。該案内スリット８０（図６）ならびに案内面４４，４６（図２）は旋回支承体８６と８８との間に配置されており、このことにより、ワイパブレード２０とワイパアーム１０との相対運動時に案内装置２８のいかなる部分もウインドシールド２６に接触しない。
【００２６】
リンク３２，７４の横断面輪郭は図８による実施形ではリング状である。この場合には、曲げに対する抵抗モーメントはすべての方向で同じである。そのつどの組付け条件に抵抗モーメントをより良く適合させるために、リンク３２，７４の横断面輪郭が図７の実施形で示したように円形とは異なる例えば楕円形または多角形の横断面輪郭を有しているのが有利である。このことにより付加的に、案内面４４と案内スリット８０内の接触面との特性が変化させられる。
【００２７】
リンク３２に設けた案内面４４とエンドキャップ３０に設けた案内面４６との間の遊び、ならびにリンク７４と案内スリット８０（図６）の側壁との間の遊びは、案内装置２８の機能を損なうことなく極めて狭く選択することができる。遊びのない案内を実現するために、案内面４４，４６，８０のいずれか１つに、またはリンク７４の側面に、対応する面に支持されるばねエレメント８４を設けるのが有利である。このばねエレメント８４によって、案内面４４，４６，８０の摩耗時でも遊びが生じない。
【図面の簡単な説明】
【図１】
ヒンジ結合されたワイパブレードを備えたワイパアームの概略的な側面図を示す。
【図２】
２つのリンクを備えた案内装置の図１のＩＩの領域を詳細に示す斜視図である。
【図３】
図２に示す案内装置をアタプタによって固定した図を示す。
【図４】
ワイパブレードとのジョイント部分の図３によるアダプタの変化実施形を上方から見た斜視図示す。
【図５】
図２に対する変化実施形としてのクラウニング加工したキャッチピンを示す。
【図６】
１つのリンクを備えた、図１に対する変化実施例を示す。
【図７】
図６のＶＩＩ−ＶＩＩ線に沿った概略的な横断面を示す。
【図８】
図７に対する変化実施例を示す。
【図９】
ばねエレメントを備えたリンクの一部分を図７の矢印ＩＸの方向で見た図を示す。
【図１０】
図９の矢印Ｘの方向で見たリンクの側面図を示す。
【符号の説明】
１０  ワイパアーム、  １２  ジョイント部分、  １４  ワイパロッド、  １６  フック状の端部、  １８  ヒンジピン、  ２０  ワイパブレード、  ２２  拭取り条片支持体、  ２４  拭取り条片、  ２６  ウインドシールド、  ２８  案内装置、  ３０  エンドキャップ、  ３２  リンク、  ３４  回転軸、  ３６  側方の滑走面、  ３８  結合片、  ４０  ハブ部分、  ４２  キャッチピン、  ４４  案内面、  ４６  案内面、  ４８  キャッチ溝、  ５０  係止フック、  ５２  アダプタ片、  ５４  脚部、  ５６  脚部、  ５８  くさび溝、  ６０  支承孔、  ６２  アダプタ、  ６４  ばねエレメント、  ６６  ピン、  ６８  キャッチピン、  ７０  案内溝、  ７２  支承ピン、  ７４  リンク、  ７６  支持アングル材、  ７８  エンドキャップ、  ８０  案内スリット、  ８２  側壁、  ８４  ぱエレメント、  ８６  旋回支承体、  ８８  旋回支承体
【図１】
2005510401.tif 000003
【図２】
2005510401.tif 000004
【図３】
2005510401.tif 000005
【図４】
2005510401.tif 000006
【図５】
2005510401.tif 000007
【図６】
2005510401.tif 000008
【図７】
2005510401.tif 000009
【図８】
2005510401.tif 000010
【図９】
2005510401.tif 000011
【図１０】
2005510401.tif 000012
【国際調査報告】
2005510401.tif 000013
2005510401.tif 000014
2005510401.tif 000015
2005510401.tif 000016